(57)【要約】【課題】  未対応および未知方式を含むテレビ放送方式をより迅速かつ精確に特定できる放送受信端末を提供することを目的とする。【解決手段】  放送受信端末（ＴＲ）において、放送受信部（１０３）は複数放送方式を対応するデジタルテレビ放送信号を受信し、記憶部（１０２）は国コードと放送方式データの対応関係を記憶し、選択部（１０１）は国コードを獲得し、演算部（１０４）は国コードで記憶部（１０２）から放送方式データを検索し、通信器（１０５）は放送方式データを放送受信器（１０３）に伝える。【選択図】  図１
2006074521.tif 000002
【特許請求の範囲】
【請求項１】
複数放送方式を対応するデジタルテレビ放送信号を受信する放送受信部と、
国コードと放送方式データの対応関係を記憶している記憶部と、
国コードを獲得する選択部と、
国コードで記憶部から放送方式データを検索する演算部と、
放送方式データを放送受信部に伝える通信手段を備える携帯可能な放送受信端末。
【請求項２】
前記選択部は移動体通信網が発信する信号を受信し、そのなかから国コードを割りだして、前記演算部がアクセスすることが可能の形で国コードを開示することを特徴とする請求項１に記載の放送受信端末。
【請求項３】
前記選択部は国名を利用者に提示し、利用者の入力により、国コードを獲得することを特徴とする請求項１に記載の放送受信端末。
【請求項４】
前記放送受信部は特定放送方式の受信指示を外部から入力できることを特徴とする請求項１に記載の放送受信端末。
【請求項５】
前記記憶部に保存している情報を外から取得して更新できることを特徴とする請求項１記載の放送受信端末。
【発明の詳細な説明】
【技術分野】
【０００１】
本発明は、デジタルテレビ放送受信機に関し、詳述すれば、国際方式の放送受信機に関する。
【背景技術】
【０００２】
アナログからデジタルへの技術変革により、小型携帯機器においても、単機能なものから多機能なものに変わってきている。また、地上波デジタルテレビ放送受信装置の小型化が進み、携帯電話などに組み込むことが考えられるようになっている。携帯電話の国際ローミングサービスの進展につれ、同じ端末を世界のどこでも使えるべきとのコンセプトが確立されつつある。
【特許文献１】特開２００２−３２５２７１号公報
【特許文献２】国際公開第０２／０１５６３０号パンフレット
【特許文献３】特開２００１−１０３４４６号公報
【特許文献４】特表２００３−５１３５１５号公報
【非特許文献１】「データ放送技術読本」オーム社、第１０章  諸外国動向
【非特許文献２】国際規格ＩＴＵ−Ｔ（ｗｗｗ．ｉｔｕ．ｉｎｔ）
【非特許文献３】携帯電話サービスを提供するＶｏｄａｆｏｎｅ社の発表（ｈｔｔｐ：／／ｗｗｗ．ｖｏｄａｆｏｎｅ．ｊｐ／ｊａｐａｎｅｓｅ／ｓｅｒｖｉｃｅ／ｖｇｓ／ｍａｉｎ＿ｆ．ｈｔｍｌ
【発明の開示】
【発明が解決しようとする課題】
【０００３】
世界の何処でも自由に放送番組を楽しむ、例えば、渡航先で放送番組を鑑賞するためには、該当国或いは地域における放送方式を特定し、放送受信機の内部で受信方式を切り替えなければならない。しかしながら、デジタルテレビ放送の方式は、国によって違う傾向がある。さらに、変調方式や暗号化方式などの多様化も進んでいる。そのために、従来の放送波スキャン方法を用いた放送方式の自動特定が非常に困難である。手動で受信方式を選択する場合は、国或いは地域毎の放送方式を事前に知っておくか、一つずつ異なる放送方式でトライしなければならず、利用者にとって非常に不便である。よって、未対応および未知方式を含むテレビ放送方式をより迅速かつ精確に特定できる放送受信端末を提供することを目的とする。
【課題を解決するための手段】
【０００４】
複数放送方式を対応するデジタルテレビ放送信号を受信する放送受信部と、
国コードと放送方式データの対応関係を記憶している記憶部と、
国コードを獲得する選択部と、
国コードで記憶部から放送方式データを検索する演算部と、
放送方式データを放送受信部に伝える通信手段を備える携帯可能な放送受信端末。
【発明の効果】
【０００５】
未対応および未知方式を含むテレビ放送方式をより迅速かつ精確に特定できる。しかも、放送電波から放送方式を検出する複雑な電子回路を必要としない。それによって、同じ端末で世界どこでも簡単にテレビ放送を楽しむことができる。さらに、国際対応のテレビ受信装置をより低価格で製造できる。
【発明を実施するための最良の形態】
【０００６】
以下、本発明の実施の形態を、図面を参照しながら説明する。図１を参照して、本発明の実施の形態に係る放送受信端末について説明する。なお、同図には、紙面の都合上、受信端末の受信部ＴＲのみが示されている。受信部ＴＲは、選択部１０１、記憶部１０２、ＤＴＶ放送信号受信部１０３、演算部１０４、および通信器１０５を含む。選択部１０１は、国コードを獲得する。記憶部１０２は、国コードと放送方式データを保持する。ＤＴＶ放送信号受信部１０３は、複数放送方式を対応するテレビ放送信号を受信する。演算部１０４は、国コードで記憶部１０２から放送方式データを検索する。通信器１０５は、放送方式を受信部１０３に伝える。なお、演算部１０４は検索そのほかのプログラムを内在している。
【０００７】
なお、選択部１０１は、チューナ１０６および演算装置１０７を含む。そして、ＤＴＶ放送信号受信部１０３は、切替部１０８および再生部１０９を含む。
【０００８】
携帯電話網の電波を利用する場合に、選択部１０１のチューナ１０６は特定携帯電話方式に定められた特定のＢｒｏａｄｃａｓｔチャンネルの情報を受信する。例えば、ＧＳＭの場合、特定周波数にチューニングすることでＢＣＣＨというＢｒｏａｄｃａｓｔチャンネルを受信できる。そこで放送されるＳｙｓｔｅｍ  Ｉｎｆｏｒｍａｔｉｏｎ  Ｔｙｐｅ  ３  Ｍｅｓｓａｇｅを受信することで、いわゆるＢＣＣＨ−ＭＣＣ（ＩＴＵ−Ｔ  Ｅ．２１２Ａｎｎｅｘ  Ａにより定められた国・地域識別の番号体系）を獲得できる。
【０００９】
具体的には、まず、図２に示すフォーマットでＬｏｃａｔｉｏｎ  Ａｒｅａ  Ｉｎｆｏｒｍａｔｉｏｎを受信できる。例えば、同図に示すフォーマットから、ＭＣＣ部分を抽出することによって、国コードを得られる。
【００１０】
次に、演算部１０４は選択部１０１より国コードを取得し、記憶部１０２を検索して、放送方式の情報を見つける。そのデータは通信器１０５を通じて、ＤＴＶ放送信号受信部１０３に渡される。見つからなかった場合、演算部１０４は、利用者にエラーメッセージを提示する。ＤＴＶ放送信号受信部１０３において、切替部１０８は、選択部１０１のチューナ１０６に対して、周波数帯域を指示、演算部１０４にＡＶＣｏｄｅｃを指示する。
【００１１】
図３を参照して、本発明に係る放送受信端末が携帯電話と一体になる複合機として構成される場合について説明する。携帯電話の通信部（ＤＴＶ放送信号受信部１０３）は選択部１０１の機能を実行する。なお、この構成はロジック上の構成を示すもので、実装上、演算部１０４と記憶部１０２は選択部１０１やＤＴＶ放送信号受信部１０３とは一体的に構成されると考えられる。通信器１０５もロジック上のものをさし、実装上は、単一、または複数の通信手段（各種のＢＵＳ、又は有線／無線通信技術）によって構成されることが考えられる。
【００１２】
図４に、利用者が国コードを入力する場合の放送受信端末の構成を示す。同図に示すように、放送受信端末には、上述の構成要素の他に、ダイアル・プッシュ型キー２０１、十字キー２０２、キーボード２０３、リストボックス２０４、およびテキストボックス２０５が新たに追加されている。リストボックス２０４は、利用者に提示される利用者が選択可能な国名を格納している。テキストボックス２０５を利用して、利用者に国コードを直接入力できる。このように、利用者は、ダイアル・プッシュ型キー２０１、十字キー２０２、およびキーボード２０３の何れを用いて、リストボックス２０４或いはテキストボックス２０５を利用して、国コードを放送受信端末に入力できる。
【産業上の利用可能性】
【００１３】
本発明は、多国方式の地上波デジタル放送の受信端末等に有用である。
【図面の簡単な説明】
【００１４】
【図１】本発明の実施の形態に係る放送受信端末の構成を示すブロック
【図２】Ｌｏｃａｔｉｏｎ  Ａｒｅａ  Ｉｎｆｏｒｍａｔｉｏｎのフォーマットの一例を示す説明図
【図３】図１に示した放送受信端末において、ＤＴＶ放送信号受信部を携帯電話端末と一体に構成する場合の説明図
【図４】図１に示した放送受信端末において、利用者が国コードを入力できるように構成する場合の説明図
【符号の説明】
【００１５】
１０１：選択部
１０２：記憶部
１０３：ＤＴＶ放送信号受信部
１０４：演算部
１０５：通信器
１０６：チューナ
１０７：演算装置
１０８：切替部
１０９：再生部
【図１】
2006074521.tif 000003
【図２】
2006074521.tif 000004
【図３】
2006074521.tif 000005
【図４】
2006074521.tif 000006